(57)【要約】【課題】電力専用通信網とＬＡＮ通信を組み合わせた保護制御装置及び電流差動保護継電装置を提供する。【解決手段】保護制御装置１００は、ＡＩ手段１、Ａ／Ｄ変換手段２、ＴＩＭ制御手段３、演算手段４、出力手段５、同期補正制御部６、ＬＡＮ通信手段７、及び伝送制御部１０を備える。伝送制御部１０は、専用回線通信網でサイクリックにデータ送受信し、相手端とのサンプリング同期タイミング合わせを行う。ＬＡＮ通信手段７は、インターネットプロトコル通信網でサイクリックにパケット転送することでデータ送受信し、相手端とのサンプリング同期タイミング合わせを行う。同期補正制御部６は、伝送制御部１０のサンプリング同期タイミングに、ＬＡＮ通信手段７のサンプリング同期タイミングを合わせるサンプリング同期補正を行う。【選択図】図１
2014064396.tif 000002
【特許請求の範囲】
【請求項１】
送電線の電流を入力してディジタル量に変換する入力部と、
該入力部におけるサンプリングタイミングを決定するタイミング制御部と、
前記入力部からのディジタル量を用いて保護演算を行う演算部と、
該演算部の演算結果に応じて前記送電線に設けられた遮断器の制御信号を与える出力部と、
専用回線通信網でサイクリックにデータ送受信し、相手端とのサンプリング同期タイミング合わせを行う第１の通信部、及び、インターネットプロトコル通信網でサイクリックにパケット転送することでデータ送受信し、相手端とのサンプリング同期タイミング合わせを行う第２通信部の少なくとも一方の通信部と、
前記第１の通信部と前記第２の通信部とを備えた場合の異種通信部間のサンプリング同期補正を行う同期補正制御部と、
を備えることを特徴とする保護制御装置。
【請求項２】
前記第１の通信部と前記第２の通信部を備え、
前記同期補正制御部は、前記第１の通信部のサンプリング同期タイミングに、前記第２の通信部のサンプリング同期タイミングを合わせるサンプリング同期補正を行うことを特徴とする請求項１記載の保護制御装置。
【請求項３】
前記第１の通信部と前記第２の通信部を備え、
前記第１の通信部と前記第２の通信部は、直列接続構成であることを特徴とする請求項１又は２に記載の保護制御装置。
【請求項４】
前記第１の通信部と前記第２の通信部を備え、
前記第２の通信部は、ＬＡＮ通信であることを特徴とする請求項１乃至３のいずれかに記載の保護制御装置。
【請求項５】
前記第１の通信部と前記第２の通信部を備え、
前記第１の通信部は、通信相手端のサンプリングタイミングに同期補正し、
前記第２の通信部は、前記通信相手端と異なる通信相手端に前記第１の通信部で同期補正したサンプリングタイミングを送信することを特徴とする請求項１乃至４のいずれかに記載の保護制御装置。
【請求項６】
前記同期補正制御部は、ＬＡＮ通信用の信号をカウントして時刻データを出力する時刻カウンタと、
前記専用回線通信におけるサンプリング同期信号に基づいて前記時刻カウンタの値を調整するサンプリング同期時刻補正部と、
前記サンプリング同期時刻補正部により補正された時刻データに基づいて前記第２の通信部との間でＬＡＮ通信同期化制御を行うＬＡＮ同期化制御部と、
前記時刻カウンタの値からオフセットを差し引くことで時刻補正を行うＬＡＮ通信時刻補正部と、を備えることを特徴とする請求項１記載の保護制御装置。
【請求項７】
送電線の電流を入力してディジタル量に変換する入力部と、
該入力部におけるサンプリングタイミングを決定するタイミング制御部と、
前記入力部からのディジタル量を用いて保護演算を行う演算部と、
該演算部の演算結果に応じて前記送電線に設けられた遮断器の制御信号を与える出力部と、
専用回線通信網でサイクリックにデータ送受信し、相手端とのサンプリング同期タイミング合わせを行う第１の通信部、及び、インターネットプロトコル通信網でサイクリックにパケット転送することでデータ送受信し、相手端とのサンプリング同期タイミング合わせを行う第２通信部の少なくとも一方の通信部と、
前記第１の通信部と前記第２の通信部とを備えた場合の異種通信部間のサンプリング同期補正を行う同期補正制御部と、を備える保護制御装置を前記送電線の各端子に備え、前記演算部では、各端子で検出した電流の差を求めることを特徴とする電流差動保護継電装置。
【発明の詳細な説明】
【技術分野】
【０００１】
本発明は、保護制御装置及び電流差動保護継電装置に係り、特に、保護区間内の系統故障を検出して事故除去を行う保護制御装置及び電流差動保護継電装置に関する。
【背景技術】
【０００２】
各端子で端子電流を計測し、伝送路を介して相互にディジタルデータを送受し、その差電流から保護区間内の系統故障を検出して事故除去を行う電流差動保護制御装置がある。
【０００３】
この場合の、伝送路又は通信方式は、例えば特許文献１及び非特許文献１に記載されているように、５４ｋｂｐｓ又は１．５Ｍｂｐｓの伝送速度で、データを所定の周期でサイクリックに伝送する方式が、全国規模で統一的に採用されている。この伝送方式は、電力専用の通信で構成することが前提である。
【０００４】
上記電力専用の通信は特殊仕様であり、高速大容量化とコストダウンが進展したインターネットプロトコル（ＩＰ：Internet Protocol）通信網又はＬＡＮ（Local Area Network）通信に比べて、技術的及びコスト的なギャップ広がっていくことが予想される。
【０００５】
このため、特許文献２に記載されているように、一般のＬＡＮ通信を通信媒体として保護制御装置の伝送路に適用した技術が提案されている。
【０００６】
また、特許文献３に記載されているように、一般のＬＡＮ通信を伝送路に適用する場合、各端子の電流値のサンプリングを同期化する必要があるため、ＩＥＥＥ（Institute of Electrical and Electronics Engineers）１５８８技術で同期化した保護制御装置が提案されている。
【先行技術文献】
【特許文献】
【０００７】
【特許文献１】特開２００７−０６８３２５号公報
【特許文献２】特開２０１１−１８８５７２号公報
【特許文献３】特開２０１１−２００１００号公報
【非特許文献】
【０００８】
【非特許文献１】第二世代ディジタルリレー専門委員会，「第二世代ディジタルリレー」，電気共同研究会，第５０巻第１号，平成６年
【発明の概要】
【発明が解決しようとする課題】
【０００９】
従来の電力専用で相互通信する保護制御装置による系統保護に対して、端子を追加する場合、コスト的な要求から一般のＬＡＮ通信を用いた保護制御装置を追加することが考えられる。
【００１０】
その場合、通信速度及びサンプリング同期化方式が異なる電力専用の通信と一般のＬＡＮ通信とを組み合わせて運用することになるが、各端子に対する電流値のサンプリングの同期化が課題となる。
【００１１】
本発明は、このような事情に鑑みてなされたものであり、電力専用通信網とＬＡＮ通信を組み合わせた保護制御装置及び電流差動保護継電装置を提供することを目的とする。
【課題を解決するための手段】
【００１２】
上記課題を解決するために、本発明の保護制御装置は、送電線の電流を入力してディジタル量に変換する入力部と、該入力部におけるサンプリングタイミングを決定するタイミング制御部と、前記入力部からのディジタル量を用いて保護演算を行う演算部と、該演算部の演算結果に応じて前記送電線に設けられた遮断器の制御信号を与える出力部と、専用回線通信網でサイクリックにデータ送受信し、相手端とのサンプリング同期タイミング合わせを行う第１の通信部、及び、インターネットプロトコル通信網でサイクリックにパケット転送することでデータ送受信し、相手端とのサンプリング同期タイミング合わせを行う第２通信部の少なくとも一方の通信部と、前記第１の通信部と前記第２の通信部とを備えた場合の異種通信部間のサンプリング同期補正を行う同期補正制御部と、を備える。
【００１３】
本発明の電流差動保護継電装置は、送電線の電流を入力してディジタル量に変換する入力部と、該入力部におけるサンプリングタイミングを決定するタイミング制御部と、前記入力部からのディジタル量を用いて保護演算を行う演算部と、該演算部の演算結果に応じて前記送電線に設けられた遮断器の制御信号を与える出力部と、専用回線通信網でサイクリックにデータ送受信し、相手端とのサンプリング同期タイミング合わせを行う第１の通信部、及び、インターネットプロトコル通信網でサイクリックにパケット転送することでデータ送受信し、相手端とのサンプリング同期タイミング合わせを行う第２通信部の少なくとも一方の通信部と、前記第１の通信部と前記第２の通信部とを備えた場合の異種通信部間のサンプリング同期補正を行う同期補正制御部と、を備える保護制御装置を前記送電線の各端子に備え、前記演算部では、各端子で検出した電流の差を求める。
【発明の効果】
【００１４】
本発明によれば、電力専用の通信と、高速大容量化とコストダウンが進展した一般のＬＡＮ通信とを用いた保護制御装置を組み合わせた保護制御装置及び電流差動保護継電装置を構築することができる。その結果、既存の電力専用の通信設備が使用でき、通信設備コストを節約することができる。
【図面の簡単な説明】
【００１５】
【図１】本発明の実施形態に係る保護制御装置を採用する電流差動保護継電装置の構成を示す図である。
【図２】上記実施形態に係る保護制御装置の同期補正制御部及びタイミング制御手段の構成を示す図である。
【図３】上記実施形態に係る保護制御装置の伝送制御部の電力専用の通信フォーマット例を示す図である。
【図４】上記実施形態に係る保護制御装置のＬＡＮ通信手段のパケット通信にて送受信するフォーマット例を示す図である。
【図５】上記実施形態に係る保護制御装置の電力専用の通信を用いて、各端子間のサンプリング同期をとる方式の動作概要を説明する図である。
【図６】上記実施形態に係る保護制御装置の主局と従局の２端子の構成のサンプリング同期を説明する図である。
【図７】上記実施形態に係る保護制御装置が主局となる場合の同期補正制御部の信号処理例を説明する図である。
【図８】上記実施形態に係る保護制御装置が従局となる場合の同期補正制御部の信号処理例を説明する図である。
【図９】上記実施形態に係る保護制御装置のＳＰ同期時刻補正部の構成を示す図である。
【図１０】上記実施形態に係る保護制御装置のＳＰ同期時刻補正部のＳＰ同期時刻補正のタイムチャートの一例を示す図である。
【発明を実施するための形態】
【００１６】
以下、本発明の実施形態について図面を参照して詳細に説明する。
【００１７】
図１は、本発明の一実施形態に係る保護制御装置を採用する電流差動保護継電装置の構成を示す図である。
図１に示すように、電流差動保護継電装置は、３つの端子Ａ，Ｂ，Ｃ（Ａ端子，Ｂ端子，Ｃ端子）と、各端子Ａ，Ｂ，Ｃ間にある送電線Ｌ１，Ｌ２とを有し、各端子Ａ，Ｂ，Ｃには、保護制御装置１００Ａ，１００Ｂ，１００Ｃと、与えられた引外し指令１００ｋにより遮断して送電線Ｌ１，Ｌ２を保護する遮断器ＣＢ２００と、各端子Ａ，Ｂ，Ｃの電流を検出する変流器ＣＴ３００と、が設けられている。
【００１８】
電流差動保護継電装置は、送電線Ｌ１，Ｌ２両端の電気所にそれぞれ保護制御装置１００Ａ，１００Ｂ，１００Ｃと遮断器ＣＢ２００と変流器ＣＴ３００とを配置し、通信装置を用いて電流を送受し合い、電流作動原理による保護を実現する。なお、以下の説明において、保護制御装置１００Ａ，１００Ｂ，１００Ｃを特に区別しない場合には、保護制御装置１００と記す。
【００１９】
保護制御装置１００は、電力専用の伝送路である電力専用回線（以下、専用回線という）又は一般のＬＡＮ通信（以下、ＬＡＮ通信という）を介して電流データを送受し、保護区間の系統故障を検出して事故除去を行う。
【００２０】
電流差動保護継電装置は、電力回線を用いた保護制御装置１００Ａと、電力回線及びＬＡＮ通信を用いた保護制御装置１００Ｂと、ＬＡＮ通信を用いた保護制御装置１００Ｃと、を組み合わせたシステムにより構築される。ここでは、保護制御装置１００Ａと保護制御装置１００Ｂは、電力専用の伝送路を介して電流データを送受し、保護制御装置１００Ｂと保護制御装置１００Ｃは、ＬＡＮ通信を介してパケット通信の伝送形態で電流データを送受する。すなわち、保護制御装置１００Ａと保護制御装置１００Ｂは、従来の専用回線を利用して伝送制御を行い、保護制御装置１００Ｂと保護制御装置１００Ｃは、ＬＡＮ通信を利用した伝送を行う。保護制御装置１００Ｂは、従来の専用回線のみを利用する伝送とＬＡＮ通信を利用した伝送とを併用して電流データを送受する。保護制御装置１００Ａと保護制御装置１００Ｂ間の電力通信を第一世代（親−子）、保護制御装置１００Ｂと保護制御装置１００Ｃ間の電力通信を第二世代（子−孫）とすれば、すべての世代（親−子−孫）間すなわち、保護制御装置１００Ａと保護制御装置１００Ｂと保護制御装置１００Ｃとの間でサンプリング同期が合っていなければならない。本実施形態は、ＬＡＮ通信側のサンプリング同期を電力専用の通信側のサンプリング同期に合わせる同期補正制御について説明する。
【００２１】
Ａ端子とＢ端子の保護制御装置間１００Ａ，１００Ｂの伝送路は、従来の専用回線で接続され、端子Ａの電流値のサンプリングタイミングに同期して、Ｂ端子の電流値がサンプリングされる。
【００２２】
[保護制御装置１００Ａ]
保護制御装置１００Ａは、Ａ端子とＢ端子間の送電線Ｌ１の保護区間内に発生した内部事故を高速に検出して、遮断器ＣＢ２００に対して引外し指令１００ｋを発し、送電線Ｌ１を保護する。
【００２３】
保護制御装置１００Ａは、アナログ入力手段（ＡＩ手段）１、アナログ／ディジタル変換手段（Ａ／Ｄ変換手段）２、タイミング制御手段（ＴＩＭ制御手段）３、演算手段４、出力手段５、同期補正制御部６、及び伝送制御部１０を備えて構成される。なお、ＡＩ手段１及びＡ／Ｄ変換手段２は、送電線Ｌ１の電流を入力してディジタル量に変換する入力部を構成する。
【００２４】
伝送制御部１０は、相手端からの専用回線の信号を受信する受信手段１０ａと、相手端に対し専用回線の信号を送信する送信手段１０ｂと、サンプリング（ＳＰ）同期信号を制御するサンプリング同期制御手段（ＳＰ同期制御手段）８と、受信手段１０ａ、送信手段１０ｂ、サンプリング同期制御手段８を統括的に制御する伝送制御手段１０ｃと、データ送受のために双方向からのアクセスが可能で、送受信データ及び伝送制御に必要な情報を格納するメモリ手段１０ｄと、これらを密結合したパラレルバス１０ｅと、を備えて構成される。
【００２５】
変流器ＣＴ３００は、送電線Ｌ１の電流を検出する。
【００２６】
ＡＩ手段１は、変流器ＣＴ３００により検出された電力系統の電流信号１００ｉを取り込んでアナログ信号処理を施す。なお、図示は省略するが、Ａ端子には、電力系統の電圧信号を検出する変成器が接続されており、ＡＩ手段１は、変成器により検出された電力系統の電圧信号を取り込む。
【００２７】
Ａ／Ｄ変換手段２は、入力された送電線Ｌ１の電流値をディジタル量に変換する。Ａ／Ｄ変換の開始タイミング（サンプリングタイミング）は、ＴＩＭ制御手段３からの変換指令信号によりＡ／Ｄ変換が開始される。
【００２８】
ＴＩＭ制御手段３は、アナログ入力手段１におけるサンプリングタイミングを決定する。ＴＩＭ制御手段３は、同期補正制御部６により同期補正される。
【００２９】
演算手段４は、Ａ／Ｄ変換手段２からのディジタル量を用いて保護演算を行う。具体的には、演算手段４は、Ａ／Ｄ変換手段２によりディジタル変換された入力信号を取込み、各種の保護演算、特に、電流信号の差分を求める差動演算を施して、内部事故判定を行う。演算手段４は、内部事故判定した場合には、出力手段５に対し、遮断器引外し指令信号を出力する。
【００３０】
出力手段５は、演算手段４の演算結果に基づいて遮断器ＣＢ２００に対して引外し指令１００ｋを出力する。電流差動保護継電装置におけるこれらの一連の動作は、一般的に電気角３０°ごとに繰り返して行われる。
【００３１】
同期補正制御部６は、ＬＡＮ通信で同期の基準をＳＰ同期信号に合わせる同期補正を行う。同期補正制御部６の詳細については、図２により後述する。
【００３２】
ＳＰ同期制御手段８は、専用回線により端子Ｂのサンプリング同期の基準信号を抽出してＳＰ同期信号をＴＩＭ制御手段３及び同期補正制御部６に出力する。
【００３３】
伝送制御部１０は、専用回線通信網でサイクリックにデータ送受信し、相手端とのサンプリング同期タイミング合わせを行う第１の通信部である。伝送制御部１０は、電圧・電流の系統情報を相手端と通信する従来の専用回線を使用し、例えば、１．５Ｍｂｐｓのサイクリック伝送手法を適用した伝送制御を行う。ここでは、伝送制御部１０は、保護制御装置１００Ｂの伝送制御部１０との間で専用回線によりサイクリックにデータ送受信し、相手端とのサンプリング同期タイミング合わせを行う。
【００３４】
[保護制御装置１００Ｂ]
保護制御装置１００Ｂは、Ａ端子とＢ端子間の送電線Ｌ１の保護区間内に発生した内部事故を高速に検出して、遮断器ＣＢ２００に対して引外し指令１００ｋを発し、送電線Ｌ１を保護する。
【００３５】
保護制御装置１００Ｂは、ＡＩ手段１、Ａ／Ｄ変換手段２、ＴＩＭ制御手段３、演算手段４、出力手段５、同期補正制御部６、ＬＡＮ通信手段７、及び伝送制御部１０を備えて構成される。
すなわち、保護制御装置１００Ｂは、保護制御装置１００Ａの構成に、さらにＬＡＮ通信手段７が追加された構成である。
【００３６】
同期補正制御部６は、ＬＡＮ通信で同期の基準をＳＰ同期信号に合わせる同期補正を行う。すなわち、同期補正制御部６は、伝送制御部１０のサンプリング同期タイミングに、ＬＡＮ通信手段７のサンプリング同期タイミングを合わせるサンプリング同期補正を行う。
【００３７】
ＬＡＮ通信手段７は、ＩＰ網でサイクリックにパケット転送することでデータ送受信し、相手端とのサンプリング同期タイミング合わせを行う第２通信部である。ＬＡＮ通信手段７は、ＡＩ手段１のディジタル量をサイクリックにパケット転送することでデータ送信し、またサイクリックにパケット転送されてきたデータを受信して演算手段４に与える。
【００３８】
ＬＡＮ通信手段７は、パケット通信の伝送形態で送信データの伝送を行う一般のＬＡＮ通信である。ＬＡＮ通信手段７は、電力専用通信ネットワークではなく、ＩＰ網対応のネットワークを使用し、パケット通信の伝送形態で送信データを伝送する。
【００３９】
上記ＬＡＮ通信手段７もまた、同期補正制御部６により同期補正されている。
ＬＡＮ通信手段７を介して得られたデータは、バスを経由して演算手段４に接続して並列伝送される。
【００４０】
保護制御装置１００Ｂは、伝送制御のルートとして、従来の専用回線を使用した伝送制御部１０を介したルートと、ＬＡＮ通信手段７を介したルートとを合わせ持つ。伝送制御部１０は、サイクリック制御であるのに対し、ＬＡＮ通信手段７は、サイクリックに送信起動したパケット伝送という相異点がある。なお、本実施形態では、それぞれの伝送ルートは、いずれか一方が選択使用される態様であるが、同時並行、あるいは、実行状況に合わせた形で使用してもよい。
【００４１】
[保護制御装置１００Ｃ]
保護制御装置１００Ｃは、Ｂ端子とＣ端子間の送電線Ｌ２の保護区間内に発生した内部事故を高速に検出して、遮断器ＣＢ２００に対して引外し指令１００ｋを発し、送電線Ｌ２を保護する。
【００４２】
保護制御装置１００Ｃは、保護制御装置１００Ｂの構成から、伝送制御部１０を省いた構成、すなわちＡＩ手段１、Ａ／Ｄ変換手段２、ＴＩＭ制御手段３、演算手段４、出力手段５、同期補正制御部６、及びＬＡＮ通信手段７から構成される。
【００４３】
なお、保護制御装置１００Ａ及び保護制御装置１００Ｃは、保護制御装置１００Ｂと同様の構成であってもよい。保護制御装置１００Ａは、ＬＡＮ通信手段７を備え、また保護制御装置１００Ｃは、伝送制御部１０を備えていてもよい。この場合、保護制御装置１００Ａは、ＬＡＮ通信手段７を使用せず、保護制御装置１００Ｃは、伝送制御部１０を使用しないように運用することができる。あるいは、ＬＡＮ通信手段７又は伝送制御部１０を選択使用してもよい。このように構成すれば、一つの保護制御装置１００Ｂを用意するだけで汎用的な運用が可能になる。
【００４４】
図２は、同期補正制御部６及びＴＩＭ制御手段３の構成を示す図である。図１と同一構成部分には同一符号を付している。
【００４５】
図２に示すように、同期補正制御部６は、ＳＰ同期時刻補正部６１、ＬＡＮ通信時刻補正部６２、時刻補正手段の切換手段（セレクタ）６３、ＬＡＮ通信用の発振器（ＣＬＫ１）６４、ＬＡＮ通信用の時刻カウンタ６５、同期パルス生成部６６、及びＬＡＮ同期化制御部６７を備えて構成される。
【００４６】
また、ＴＩＭ制御手段３は、Ａ／Ｄ変換用の発振器（ＣＬＫ２）３１、Ａ／Ｄ変換タイミングカウンタ３２、及びＡ／Ｄ変換制御信号生成部３３を備えて構成される。
【００４７】
同期補正制御部６及びＴＩＭ制御手段３は、保護制御装置１００が、従来の専用回線又はＬＡＮ通信によりデータを送信する主局であるか、主局からデータを受信する従局であるかによって、各組合せと機能が異なる。保護制御装置１００が主局である場合、同期補正制御部６は、主にＳＰ同期時刻補正部６１、切換手段（セレクタ）６３、発振器（ＣＬＫ１）６４、時刻カウンタ６５、及びＬＡＮ同期化制御部６７と、ＴＩＭ制御手段３との組合せが用いられる。また、保護制御装置１００が従局である場合、ＬＡＮ通信時刻補正部６２、切換手段（セレクタ）６３、発振器（ＣＬＫ１）６４、時刻カウンタ６５、同期パルス生成部６６、及びＬＡＮ同期化制御部６７の組合せが用いられる。
【００４８】
同期補正制御部６のＳＰ同期時刻補正部６１は、ＳＰ同期制御手段８から例えば電気角３０°ごとに渡されたＳＰ同期信号の立ち上がり時に、時刻カウンタ６５の値との差分を求め、差分値だけ時刻カウンタ６５の値を調整する。時刻カウンタ６５の値が調整されることで、電力専用の通信とＬＡＮ通信のサンプリング同期の基準を合わせることができる。
【００４９】
ＬＡＮ通信時刻補正部６２は、時刻カウンタ６５の値から後記するＬＡＮ同期化制御部６７からのオフセット時間Ｔｏｆｆを差し引くことで時刻補正を行う。
【００５０】
セレクタ６３は、時刻カウンタ６５の補正をＳＰ同期時刻補正部６１によるＳＰ同期時刻補正で実施するか、ＬＡＮ通信時刻補正部６２によるＬＡＮ通信時刻補正で実施するかの選択を行う。
【００５１】
ＬＡＮ通信用の発振器（ＣＬＫ１）６４は、ＬＡＮ通信用のクロック信号を出力する。
【００５２】
ＬＡＮ通信用の時刻カウンタ６５は、発振器（ＣＬＫ１）６４のクロック信号をカウントして時刻データをＳＰ同期時刻補正部６１に出力するとともに、ＳＰ同期時刻補正部６１により調整されたカウント値を、補正後の時刻データとして同期パルス生成部６６及びＬＡＮ同期化制御部６７に出力する。
【００５３】
同期パルス生成部６６は、補正された時刻カウンタ６５の値を用いて、同期パルスを生成し、ＴＩＭ制御手段３に出力する。
【００５４】
ＬＡＮ同期化制御部６７は、オフセット時間Ｔｏｆｆを求め、ＬＡＮ通信時刻補正部６２及びＬＡＮ通信手段７に出力する。ここで、ＬＡＮ同期化制御部６７は、時刻カウンタ６５の補正後の時刻データを基にＬＡＮ同期化制御を行うので、ＬＡＮ同期化制御部６７によるＬＡＮ同期化制御に先立って既に電力専用の通信とＬＡＮ通信のサンプリング同期の基準合わせは済んでいる。
【００５５】
ＬＡＮ同期化制御部６７は、ＬＡＮ通信手段７との間のＬＡＮ通信により、該当端子の保護制御装置１００における電流値のサンプリングと、他の該当端子の保護制御装置１００におけるサンプリングとを同期化することができる。
【００５６】
一方、ＴＩＭ制御手段３のＡ／Ｄ変換用の発振器（ＣＬＫ２）３１は、Ａ／Ｄ変換用の信号を出力する。
【００５７】
Ａ／Ｄ変換タイミングカウンタ３２は、ＣＬＫ２（発振器）３１の信号をカウントするとともに、同期パルス生成部６６のパルス信号の立ち上がりにより、カウンタ値を０にリセットする。
【００５８】
Ａ／Ｄ変換制御信号生成部３３は、Ａ／Ｄ変換タイミングカウンタ３２の値により、Ａ／Ｄ変換手段２にＡ／Ｄ変換開始タイミング信号などの制御信号を出力する。
【００５９】
同期補正制御部６及びＴＩＭ制御手段３の動作の詳細については、図７及び図８により後述する。ＳＰ同期時刻補正部６１の構成及び動作の詳細については図９及び図１０により後述する。
【００６０】
以下、上述のように構成された電流差動保護継電装置の動作について説明する。
図１に示すように、電流差動保護継電装置は、端子Ａ，Ｂ，Ｃ間にある送電線Ｌ１，Ｌ２と、各端子Ａ，Ｂ，Ｃに設置された遮断器ＣＢ２００と変流器ＣＴ３００と保護制御装置１００Ａ，１００Ｂ，１００Ｃと、を備える。
【００６１】
変流器ＣＴ３００により各端子Ａ，Ｂ，Ｃの電流が検出され、保護制御装置１００内のＡＩ手段１を介してＡ／Ｄ変換手段２により電流値がディジタルデータ化される。ディジタルデータ化された電流値は、伝送制御部１０の通信手段（受信手段１０ａ及び送信手段１０ｂ）、あるいはＬＡＮ通信手段７により送受しあい、電流差動原理により保護が実現される。その際、電流値は演算手段４で演算され、演算結果により、出力手段５を介して遮断器ＣＢ２００に対して引外し指令１００ｋを出す。
【００６２】
[Ａ端子とＢ端子の保護制御装置１００Ａ，１００Ｂ]
Ａ端子とＢ端子の保護制御装置１００Ａ，１００Ｂ間の伝送路は、従来の専用回線で接続され、Ａ端子の電流値のサンプリングタイミングに同期して、Ｂ端子の電流値がサンプリングされる。
【００６３】
Ｂ端子に対する保護制御装置１００Ｂの伝送制御部１０のＳＰ同期制御手段８は、専用回線により端子Ａのサンプリング同期の基準信号を抽出してＳＰ同期信号を出力する。ＳＰ同期信号は、Ａ／Ｄ変換手段２の開始タイミングを制御するＴＩＭ制御３と、ＬＡＮ通信手段７で同期を補正する同期補正制御部６に渡される。ここでの同期補正制御部６は、ＬＡＮ通信手段７で同期の基準をＳＰ同期信号に合わせる。
【００６４】
[Ｂ端子とＣ端子の保護制御装置１００Ｂ，１００Ｃ]
Ｂ端子とＣ端子の保護制御装置１００Ｂ，１００Ｃ間の伝送路は、ＬＡＮ通信手段７により接続され、Ｂ端子の電流値のサンプリングタイミングに同期して、Ｃ端子の電流値がサンプリングされる。
【００６５】
[Ｃ端子の保護制御装置１００Ｃ]
Ｃ端子の保護制御装置１００Ｃは、ＬＡＮ通信手段７によりＢ端子のサンプリング同期の基準信号を同期補正制御部６で抽出して、Ａ／Ｄ変換手段２の開始タイミングを制御するＴＩＭ制御手段３に同期信号を出力する。
【００６６】
このように、Ａ端子からＢ端子に対する電流値のサンプリングの同期は、専用回線で同期化し、Ｂ端子からＣ端子に対しては一般のＬＡＮ通信で同期化する。Ｂ端子の保護制御装置１００Ｂは、一般のＬＡＮ通信のサンプリング同期を専用回線のサンプリング同期に合わせる同期補正を実施する。これにより、各端子Ａ，Ｂ，Ｃの電流値のサンプリング同期をあわせることができる。
【００６７】
図３は、伝送制御部１０の電力専用の通信フォーマット例を示す図である。
専用回線を使用した伝送制御部１０は、周期Ｔ（一般には電気角３０°）ごとに情報伝送を行う。
【００６８】
図３の例では、周期Ｔの期間を１２フレーム（♯０から♯１１の１２フレーム）に分割し、このうちの１つのフレーム（例えば♯１）に、フレームヘッダＦＨを先頭にして、当該回線の３相分の電流データ（１ａ，１ｂ，１ｃ）とＩ／Ｏ情報Ｉ／Ｏ、サブコミデータ（複数のデータを何回かに１回の割合で伝送する）及びＣＲＣ（Cyclic Redundancy Check：巡回冗長検査）情報を順次挿入し、これを単位として送受信する。
本フレームは、一般的な構成を記載したものであり、例えば直接接地系では５４ｋｂｐｓの伝送速度で構成し、５０Ｈｚ系では１フレームあたり７５ビット、６０Ｈｚ系では１フレームあたり９０ビットで構成する。
【００６９】
図４は、ＬＡＮ通信手段７のパケット通信にて送受信するフォーマット例を示す図である。
【００７０】
図４に示すように、パケットの先頭は、図示しないプリアンブルでスタートし、宛先ＭＡＣアドレス、送信元ＭＡＣアドレス、ヘッダ、データ（Ｉａ，Ｉｂ，Ｉｃの電流データ、Ｉ／Ｏデータ、ステータス等）、フレームチェックシーケンス（ＦＣＳ）で構成される。このパケットはプリアンブルから次のプリアンブルまでは、周期Ｔごとに繰り返し、リアルタイム性を確保できるように構成する。
【００７１】
図５は、図３の電力専用の通信を用いて、各端子間のサンプリング同期をとる方式の動作概要を説明する図である。図５において、伝送制御における従局から主局に対する同期信号４１、伝送制御における主局から従局に対する同期信号４２を示す。本実施形態では、この電力専用の通信は、伝送制御部１０のＳＰ同期制御手段８（図２参照）が主として実施する。
【００７２】
この方式は、Ａ端子の保護制御装置１００ＡとＢ端子の保護制御装置１００Ｂのいずれかを主局、他を従局とし、まず従局が主局に対し同期信号４１を送信する。主局では、自局のサンプリングタイミングから、従局から送信された同期信号を受信したタイミングとの時間差ＴＭを求める。主局は、上記にて求めた時間差ＴＭを従局に送信する。
【００７３】
従局は、自局のサンプリングタイミングから、主局から送信された同期信号を受信したタイミングとの時間差ＴＳを求めると同時に、主局から受信したサンプリング時間差ＴＭを読み出す。従局から主局に送信するデータの遅延時間Ｔｄｕと主局から従局へ送信するデータの遅延時間Ｔｄｄは等しいとすると、両者のタイミング差ΔＴは次式（１）で表すことができる。
【００７４】
ΔＴ＝（ＴＳ−ＴＭ）／２    …（１）
従局は、上記式（１）のΔＴが０になるようにサンプリングタイミングを制御し、主局は、サンプリングタイミングを制御しない。上記のサンプリング同期制御を繰り返すことにより、主局と従局のサンプリングをほぼ同一にすることができる。
【００７５】
次に、ＬＡＮ通信のパケット通信を用いて、送受信する場合のサンプリング同期方式について説明する。
【００７６】
図６は、主局と従局の２端子の構成のサンプリング同期を説明する図である。この同期方式は、ＩＥＥＥ１５８８にて規定されている手法である。図６において、ＬＡＮ通信手段７における主局から従局に対する同期開始信号である送信パケットSync５１、ＬＡＮ通信手段７における主局から従局に対するフォローアップ信号である送信パケットFollow Up５２、ＬＡＮ通信手段７における従局から主局への遅延情報送信依頼信号である送信パケットDelay Request５３、ＬＡＮ通信手段７における主局から従局への遅延情報応答信号である送信パケットDelay Response５４を示す。本実施形態では、このＬＡＮ通信は、同期補正制御部６のＬＡＮ同期化制御部６７（図２参照）とＬＡＮ通信手段７間で実施する。
【００７７】
まず、主局は、従局に対して同期制御するための送信パケットSync５１を送信する。引き続き、主局は従局に対し、上記送信パケットSync５１を送出した時刻データｔ１を次の送信パケットFollow Up５２に含めて送信する。一方、従局は、最初の送信パケットSync５１を受信した時刻ｔ０を確認し、次の送信パケットFollow Up５２内の送信時刻データｔ１を取り出す。
【００７８】
次いで、従局は、主局に対して同期制御するために、送信パケットDelay Request５３を送信する。この際に、従局は、送信した時刻ｔ２を取得する。次いで主局は、送信パケットDelay Request５３を受信した時刻ｔ３を次の送信パケットDelay Response５４に乗せて従局へ送信する。
【００７９】
これら一連の動作により、従局は、時刻ｔ０〜ｔ３の時刻データを取得することができ、この時刻データから、次式（２）,（３）に示す演算により、主局と従局間のサンプリングタイミングのずれを補正するための遅延時間Ｔｄｘ及びオフセット時間Ｔｏｆｆを得ることができる。
【００８０】
Ｔｄｘ＝（（ｔ１−ｔ０）＋（ｔ３−ｔ２））／２    …（２）
Ｔｏｆｆ＝（ｔ２−ｔ１）−Ｔｄｘ    …（３）
【００８１】
上記式（２）（３）により、オフセット時間Ｔｏｆｆを０に近づけるように制御することで、従局は主局に対してサンプリング時刻が同一になるように制御することができる。このように、定期的に通信の遅延時間を計測するパケットを送受することで、サンプリング同期が可能になる。また、不定期にパケット送受を実施してもサンプリング同期制御は可能である。
【００８２】
なお、サンプリング同期制御状態については、上記オフセット時間Ｔｏｆｆを常時監視する必要がある。例えば、上記オフセット時間Ｔｏｆｆが１μｓ以下であることを監視することで電流差動演算に及ぼす影響を把握し、必要であれば装置ロックさせる。
【００８３】
また、電流データの送信については、上記のサンプリング同期制御のパケットとは別のパケット転送にて行うものとする。
【００８４】
次に、保護制御装置１００の同期補正制御部６の動作について説明する。
図７及び図８は、図２の同期補正制御部６の動作を説明する図であり、図７は保護制御装置１００が主局となる場合の同期補正制御部６の信号処理例を、図８は保護制御装置１００が従局となる場合の同期補正制御部６の信号処理例を示す。図中、該当動作における信号の流れを太実線矢印で示している。
【００８５】
上述したように、保護制御装置１００Ａと保護制御装置１００Ｂは、従来の専用回線を利用して伝送制御を行い、保護制御装置１００Ｂと保護制御装置１００Ｃは、ＬＡＮ通信を利用した伝送を行う。保護制御装置１００Ｂは、従来の専用回線のみを利用する伝送とＬＡＮ通信を利用した伝送とを併用して電流データを送受する。ここで、すべての保護制御装置１００間すなわち、保護制御装置１００Ａと保護制御装置１００Ｂと保護制御装置１００Ｃ間でサンプリング同期が合っていなければならない。上記サンプリング同期制御において本発明の特徴がもっともよく示されるのは保護制御装置１００Ｂであるので、保護制御装置１００Ｂにおける同期補正制御部６の動作を例に採る。前記図１において、保護制御装置１００Ｂが主局となるのは、保護制御装置１００Ａとの間で、従来の専用回線を利用して伝送制御を行う場合である。特に、電力専用の通信におけるサンプリング同期信号に基づいて、時刻データを補正する制御が必要となる。また、保護制御装置１００Ｂが従局となるのは、保護制御装置１００Ｃとの間で、一般のＬＡＮ通信を行う場合である。特に、時刻カウンタ６５の値からオフセットを差し引くことで時刻補正を行う制御が必要となる。
【００８６】
<主局>
端子Ｂに対する保護制御装置１００Ｂが主局として動作する場合の同期補正制御部６の動作について説明する。
【００８７】
図７に示すように、専用回線におけるサンプリング同期処理は、ＳＰ同期時刻補正部６１、時刻補正手段の切換手段（セレクタ）６３、ＬＡＮ通信用の発振器（ＣＬＫ１）６４、ＬＡＮ通信用の時刻カウンタ６５、ＬＡＮ同期化制御部６７の組合せで実施される。
【００８８】
専用回線におけるサンプリング同期処理により、ＳＰ同期制御手段８から例えば電気角３０°ごとにＳＰ同期信号がＳＰ同期時刻補正部６１に渡される。ＳＰ同期時刻補正部６１は、ＳＰ同期信号の立ちあがり時に、時刻カウンタ６５の値を取込み、時刻カウンタ６５の電気角３０°単位のカウント値と差分を求める。ＳＰ同期時刻補正部６１は、上記差分値だけ時刻カウンタ６５の値を調整し、電力回線とＬＡＮ通信のサンプリング同期の基準を合わせることができる。なお、ＳＰ同期時刻補正部６１の構成及び動作の詳細については、図８及び図９により後述する。
【００８９】
セレクタ６３は、時刻カウンタ６５の補正をＳＰ同期時刻補正部６１によるＳＰ同期時刻補正で実施するか、ＬＡＮ通信時刻補正部６２によるＬＡＮ通信時刻補正で実施するかの選択を行う。この場合、Ｂ端子の保護制御装置１００Ｂであるので、セレクタ６３は、ＳＰ同期時刻補正部６１出力を選択し、ＳＰ同期時刻補正で時刻カウンタ６５を補正する。
【００９０】
<従局>
端子Ｃに対する保護制御装置１００Ｂが従局として動作する場合の同期補正制御部６の動作について説明する。
【００９１】
図８に示すように、ＬＡＮ通信手段７におけるサンプリング同期処理は、ＬＡＮ同期化制御部６７、ＬＡＮ通信時刻補正部６２、ＬＡＮ通信用の発振器（ＣＬＫ１）６４、時刻カウンタ６５、同期パルス生成部６６の組合せで実施される。
【００９２】
ＬＡＮ通信手段７におけるＬＡＮ同期化制御は、オフセット時間Ｔｏｆｆを求め、ＬＡＮ通信時刻補正部６２に出力する。ＬＡＮ通信時刻補正部６２は、時刻カウンタ６５の値からオフセット時間Ｔｏｆｆを差し引くことにより時刻補正を実施し、ＬＡＮ通信により、Ｂ端子の保護制御装置１００Ｂにおける電流値のサンプリングと、端子Ｃの保護制御装置１００Ｃにおけるサンプリングを同期化することができる。
【００９３】
また、セレクタ６３は、時刻カウンタ６５の補正をＳＰ同期時刻補正部６１によるＳＰ同期時刻補正で実施するか、ＬＡＮ通信時刻補正部６２によるＬＡＮ通信時刻補正で実施するかの選択を行う。いま、Ｃ端子の保護制御装置１００Ｃであるので、セレクタ６３は、ＬＡＮ通信時刻補正部６２出力を選択し、ＬＡＮ通信時刻補正で時刻カウンタ６５を補正する。
【００９４】
同期パルス生成部６６は、上記補正された時刻カウンタ６５の値を用いて、パルスを生成し、ＴＩＭ制御手段３に出力する。
【００９５】
ＴＩＭ制御手段３は、ＣＬＫ２（発振器）３１、Ａ／Ｄ変換タイミングカウンタ３２、及びＡ／Ｄ変換制御信号生成部３３から構成され、同期パルス生成部６６のパルス信号の立ち上がりにより、Ａ／Ｄ変換タイミングカウンタ３２の値を０にリセットする。Ａ／Ｄ変換制御信号生成部３３は、Ａ／Ｄ変換タイミングカウンタ３２の値により、Ａ／Ｄ変換手段２にＡ／Ｄ変換開始タイミング信号などの制御信号を出力する。
【００９６】
以上に示すＡ／Ｄ変換手段２に対する制御信号に、専用回線及びＬＡＮ通信の同期タイミングを反映させることにより、各端子Ａ，Ｂ，Ｃに対する電流値のサンプリングを同期化することができる。
【００９７】
図９は、上記ＳＰ同期時刻補正部６１の構成を示す図である。図１０は、図９のＳＰ同期時刻補正部６１のＳＰ同期時刻補正のタイムチャートの一例を示す図である。
【００９８】
図９に示すように、ＳＰ同期時刻補正部６１は、ＳＰ同期時の時刻データ取り込み回路６１ａ、時刻データ補正回路６１ｂ、補正値切替タイミング発生部６１ｃ、補正値切替セレクタ６１ｄ、時刻補正値レジスタ６１ｅ、及び時刻データ切替セレクタ６１ｆを備えて構成される。
【００９９】
ＳＰ同期時の時刻データ取り込み回路６１ａは、ＳＰ同期信号波形の立上り時（図１０参照）に時刻データを取り込む。
【０１００】
時刻データ補正回路６１ｂは、時刻データ取り込み回路６１ａが取り込んだ時刻データに対して電気角３０°分の時刻を加算する時刻データ補正を行う。これにより、次回、電気角３０°後のＳＰ同期信号に応じた時刻データが用意される。
【０１０１】
補正値切替タイミング発生部６１ｃは、時刻データ補正回路６１ｂが用意した時刻データを切替えるタイミング信号を発生する。時刻データを切替えるタイミングは、現在の時刻データとＳＰ同期信号波形の立上り時に取り込んだ時刻データを比較し、ＳＰ同期信号波形の立上りから電気角３０°の半分となる電気角１５°に進んだところで、補正値切替タイミング発生部６１ｃは、切替パルス信号を出力する。これにより、補正範囲を電気角０〜３０°から電気角±１５°にシフトすることができる。
【０１０２】
補正値切替セレクタ６１ｄは、切替パルス信号により時刻補正値レジスタ６１ｅの値を更新する。
【０１０３】
時刻補正値レジスタ６１ｅは、ＳＰ同期信号発生時の時刻補正値を記憶する。
【０１０４】
時刻データ切替セレクタ６１ｆは、時刻データ又は時刻補正値レジスタ６１ｅに記憶した時刻補正した時刻データを選択出力する。時刻データ切替セレクタ６１ｆは、ＳＰ同期信号発生時には、時刻補正した時刻データを選択する。
【０１０５】
図１０（ａ）は、ＳＰ同期信号と時刻データが同期しているＳＰ同期時刻補正のタイムチャートである。
【０１０６】
図１０（ａ）に示すように、ＳＰ同期信号と時刻データが同期している時、ＳＰ同期信号がＨレベル時の補正値と時刻カウンタ６５の値は、同一となっている。
【０１０７】
図１０（ｂ）は、時刻補正時のタイムチャートである。
図１０（ｂ）に示すように、ＳＰ同期信号と時刻データが同期していない時では、ＳＰ同期信号がＨレベル時に、補正値と時刻データは不一致となる。しかし、上記時刻補正した時刻データを選択することにより補正値に合わせることが可能である。
【０１０８】
以上説明したように、本実施形態に係る電流差動保護継電装置は、各端子Ａ，Ｂ，Ｃ間に配置された送電線Ｌ１，Ｌ２と、保護制御装置１００Ａ，１００Ｂ，１００Ｃと、送電線Ｌ１，Ｌ２を保護する遮断器ＣＢ２００と、各端子Ａ，Ｂ，Ｃの電流を検出する変流器ＣＴ３００と、を有する。保護制御装置１００は、ＡＩ手段１、Ａ／Ｄ変換手段２、ＴＩＭ制御手段３、演算手段４、出力手段５、同期補正制御部６、ＬＡＮ通信手段７、及び伝送制御部１０を備える。伝送制御部１０は、専用回線通信網でサイクリックにデータ送受信し、相手端とのサンプリング同期タイミング合わせを行う。ＬＡＮ通信手段７は、インターネットプロトコル通信網でサイクリックにパケット転送することでデータ送受信し、相手端とのサンプリング同期タイミング合わせを行う。また、同期補正制御部６は、伝送制御部１０のサンプリング同期タイミングに、ＬＡＮ通信手段７のサンプリング同期タイミングを合わせるサンプリング同期補正を行う。
【０１０９】
この構成により、保護制御装置１００Ａと保護制御装置１００Ｂと保護制御装置１００Ｃのすべての保護制御装置間で、各端子Ａ，Ｂ，Ｃに対する送電線Ｌ１，Ｌ２の電流値のサンプリングを同期化することができる。本発明の保護制御装置によれば、電力専用の通信を用いた従来の保護制御装置に対して、高速大容量化とコストダウンが進展した一般のＬＡＮ通信を用いた保護制御装置を組み合わせた電流差動保護継電装置を構築することができる。また、既存の電力専用の通信設備を使用することができ、通信設備コストを節約することができる。
【０１１０】
ここで、例えば図１において、保護制御装置１００Ｂは、従来の専用回線を使用する伝送制御部１０とＬＡＮ通信手段７の、異なる通信手段を備えるが、本実施形態は、伝送制御部１０とＬＡＮ通信手段７の並列構成それ自体に特徴があるのではない。双方の通信手段を常時動作させ、かつ切替えるような制御についても不要である。本実施形態は、図１に示すように、専用回線のみを用いた保護制御装置１００Ａと、専用回線及びＬＡＮ通信を用いた保護制御装置１００Ｂと、ＬＡＮ通信のみを用いた保護制御装置１００Ｃと、を組み合わせた電流差動保護継電装置システムであり、保護制御装置１００Ａから保護制御装置１００Ｃに至る一連の各保護制御装置間のサンプリング同期を合わせることで、各保護制御装置を組み合わせた電流差動保護継電装置システムを構築することを特徴とする。
【０１１１】
本発明は上記の実施形態例に限定されるものではなく、特許請求の範囲に記載した本発明の要旨を逸脱しない限りにおいて、他の変形例、応用例を含む。
【０１１２】
例えば、３端子構成で説明したが、２端子構成であってもよい。
【０１１３】
また、上記した実施形態例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【０１１４】
また、上記の各構成、機能、処理部、処理手段等は、それらの一部又は全部を、例えば集積回路で設計する等によりハードウェアで実現してもよい。また、図１及び図５に示すように、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の記録装置、又は、ＩＣ（Integrated Circuit）カード、ＳＤ（Secure Digital）カード、光ディスク等の記録媒体に保持することができる。また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【０１１５】
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【０１１６】
１  アナログ入力手段（ＡＩ手段）
２  アナログ／ディジタル変換手段（Ａ／Ｄ変換手段）
３  タイミング制御手段（ＴＩＭ制御手段）
４  演算手段
５  出力手段
６  同期補正制御部
７  ＬＡＮ通信手段
８  サンプリング同期制御手段（ＳＰ同期制御手段）
１０  伝送制御部
３１  Ａ／Ｄ変換用の発振器
３２  Ａ／Ｄ変換タイミングカウンタ
３３  Ａ／Ｄ変換制御信号生成部
６１  ＳＰ同期時刻補正部
６２  ＬＡＮ通信時刻補正部
６３  切換手段（セレクタ）
６４  発振器
６５  時刻カウンタ
６６  同期パルス生成部
６７  ＬＡＮ同期化制御部
１００，１００Ａ，１００Ｂ，１００Ｃ  保護制御装置
ＣＢ２００  遮断器
ＣＴ３００  変流器
【図１】
2014064396.tif 000003
【図２】
2014064396.tif 000004
【図３】
2014064396.tif 000005
【図４】
2014064396.tif 000006
【図５】
2014064396.tif 000007
【図６】
2014064396.tif 000008
【図７】
2014064396.tif 000009
【図８】
2014064396.tif 000010
【図９】
2014064396.tif 000011
【図１０】
2014064396.tif 000012